(57)【要約】【課題】被測定物の漏洩試験データの記録作業等に要する手間や労力の軽減を図れるようにすると共に、漏洩試験の作業精度及び試験データの信頼性を向上させる。【解決手段】内部が加圧された被測定物内の圧力降下を測定する加圧型漏洩試験機１に於いて、前記加圧型漏洩試験機１を、可搬式の開閉可能な収納ケース２と、収納ケース２内に収納された電源３と、収納ケース２内に配設されて被測定物内の圧力を検出する圧力センサー４と、収納ケース２内に収納されて測定された被測定物内の圧力値とそのときの日時を記録紙Ｐに印字するプリンタ５と、収納ケース２内に配設されて測定された圧力値等を表示する表示部６と、収納ケース２内に配設されて印字設定や測定圧力の設定を行う操作部７と、収納ケース２内に配設されて演算や制御を行う中央演算処理装置８とから構成する。【選択図】      図１
2004184200.tif 000002
【特許請求の範囲】
【請求項１】
流体により内部が加圧された被測定物内の圧力降下を測定する加圧型漏洩試験機（１）に於いて、前記加圧型漏洩試験機（１）は、可搬式の開閉可能な収納ケース（２）と、収納ケース（２）内に収納された電源（３）と、収納ケース（２）内に配設されて被測定物内の圧力を検出する圧力センサー（４）と、収納ケース（２）内に収納されて圧力センサー（４）により測定された被測定物内の圧力値とそのときの日時を記録紙（Ｐ）に印字するプリンタ（５）と、収納ケース（２）内に配設されて圧力センサー（４）により測定された圧力値等を表示する表示部（６）と、収納ケース（２）内に配設されて印字設定や測定圧力の設定を行う操作部（７）と、収納ケース（２）内に配設されて演算や制御を行う中央演算処理装置（８）とから構成されていることを特徴とする加圧型漏洩試験機。
【請求項２】
圧力センサー（４）が耐圧ホースに連通状に接続される接続口（４ａ）を有し、当該圧力センサー（４）をその接続口（４ａ）が収納ケース（２）の外方へ臨むように収納ケース（２）内に配設したことを特徴とする請求項１に記載の加圧型漏洩試験機。
【発明の詳細な説明】
【０００１】
【発明の属する技術分野】
本発明は、水やガス、空気等の流体により内部が加圧された被測定物（例えば、ビルやマンション、一般住宅家屋等の給排水や消火用、ガス用等の配管）の漏洩試験に用いる加圧型漏洩試験機に係り、特に、漏洩試験を行う被測定物（以下配管と云う）の漏洩試験データ等を記録紙に自動的に逐次記録し、作業者が配管の漏洩を手間や労力を掛けることなく簡単且つ正確に調べられるようにした加圧型漏洩試験機に関するものである。
【０００２】
【従来の技術】
一般に、ビルやマンション、一般住宅家屋等の建物には、給排水や消火用、ガス用等の配管が多数配設されており、夫々の配管には仕切弁や水栓、ガス栓等が多数設けられている。これらの配管に対しては、通常配管施工の完了後に漏洩試験が行われ、配管の耐圧性や継手部等からの漏洩の有無が検査されている。
【０００３】
ところで、従来の水道水配管の漏洩試験に於いては、先ず、配管内に水をいっぱい入れる、所謂水張りを行って配管内に存在する空気を除去し、次に、水圧ポンプにより配管内に水を圧送して圧力を加え、その後、規定圧で一定時間圧力を加えた状態を維持し、この状態で漏洩による圧力降下がないことを確認する検査が行われている。この漏洩試験に用いる漏洩試験機としては、例えば水圧テスト用ポンプが知られている。
【０００４】
前記水圧テスト用ポンプ２０は、図４に示す如く、水を貯留する水槽２１と、水槽２１に取り付けた支持板２２と、支持板２２に取り付けた手動式のプランジャーポンプ２３と、プランジャーポンプ２３の吐出口側に直列状に接続されたボールバルブ２４、圧力計２５、ボールバルブ２６及び耐圧ホース２７とから構成されており、配管２８内に水を加圧状態で充満させてその水圧の変化を見ることにより、その漏洩の有無を検査できるようになっている。
【０００５】
即ち、前記水圧テスト用ポンプ２０を用いて配管の漏洩試験を行うには、先ず、配管２８内に水を充満させて耐圧ホース２７と配管２８をストップバルブ２９を介して接続する。次に、各ボールバルブ２４，２６及びストップバルブ２９を開放してプランジャーポンプ２３を作動させ、水槽２１内の水を配管２８内に圧送する。そして、圧力計２５が所定の圧力に上昇したところで片方のボールバルブ２４（プランジャーポンプ２３の吐出口に近い方のボールバルブ２４）のみを閉じ、圧力計２５により配管２８内の圧力変化を調べる。このようにして、配管２８の漏洩検査を行う（例えば、特許文献１参照）。
【０００６】
【特許文献１】
実公昭５８−５２３８８号公報（第２頁、第３図）
【０００７】
【発明が解決しようとする課題】
ところで、この種の漏洩試験データ等は、例えば配管施工業者等が漏洩の発生がないことを確認し、又、これを立証する手段として、その圧力変化値を時間経過に伴って記録する必要がある。
しかし、従来の漏洩試験機（水圧テスト用ポンプ２０）を用いて配管２８の漏洩試験を行った場合、前記圧力値のデータの記録は作業者が圧力計２５を目視して一定時間毎に筆記作業で行わなければならないため、その記録作業に多大な手間を要するばかりか、正確で且つ信用の於ける記録が行えないと云う問題が発生している。特に、共同住宅等のようにその試験対象となる配管２８が多数ある場合には前記問題がより一層顕著に現れることになる。
【０００８】
本発明は、このような問題点に鑑みて為されたものであり、その目的は被測定物の漏洩試験データの記録作業等に要する手間や労力の軽減を図れると共に、漏洩試験の作業精度及び試験データの信頼性を向上させることができるようにした加圧型漏洩試験機を提供することにある。
【０００９】
【課題を解決するための手段】
上記目的を達成するために、本発明の請求項１に記載の発明は、流体により内部が加圧された被測定物内の圧力降下を測定する加圧型漏洩試験機に於いて、前記加圧型漏洩試験機を、可搬式の開閉可能な収納ケースと、収納ケース内に収納された電源と、収納ケース内に配設されて被測定物内の圧力を検出する圧力センサーと、収納ケース内に収納されて圧力センサーにより測定された被測定物内の圧力値とそのときの日時を記録紙に印字するプリンタと、収納ケース内に配設されて圧力センサーにより測定された圧力値等を表示する表示部と、収納ケース内に配設されて印字設定や測定圧力の設定を行う操作部と、収納ケース内に配設されて演算や制御を行う中央演算処理装置とから構成したことに特徴がある。
【００１０】
本発明の請求項２に記載の発明は、圧力センサーが耐圧ホースに連通状に接続される接続口を有し、当該圧力センサーをその接続口が収納ケースの外方へ臨むように収納ケース内に配設したことに特徴がある。
【００１１】
【発明の実施の形態】
以下、本発明の実施の形態を図面に基づいて詳細に説明する。
図１は本発明の実施の形態に係る可搬式の加圧型漏洩試験機１の概略斜視図を示し、当該加圧型漏洩試験機１は、主にビルやマンション、一般住宅家屋等に配設した給排水や消火用等の配管（水道管や排水管）の漏洩試験を行うものであり、可搬式の開閉可能な金属製の収納ケース２内に電源３、圧力センサー４、プリンタ５、表示部６、操作部７及び中央演算処理装置８等を夫々収納し、漏洩試験を行う作業者が配管の漏洩試験現場へ簡単且つ容易に持ち運べるようになっている。
【００１２】
具体的には、前記収納ケース２は、図１に示す如く、一側面が開放されたアルミ合金製の箱状のケース本体２ａと、ケース本体２ａの一側縁部にヒンジ２ｃを介して回動自在に取り付けられ、ケース本体２ａの開口部を開閉するアルミ合金製の蓋体２ｂと、ケース本体２ａの一側面に取り付けられた取っ手２ｄと、ケース本体２ａと蓋体２ｂとの間に設けられ、蓋体２ｂをケース本体２ａ側へロックする係止金具２ｅとから構成されており、配管の漏洩試験を行う作業者が手に持って簡単且つ容易に持ち運べるようになっている。この実施の形態に於いては、収納ケース２の内方の大きさは、幅３１０ｍｍ、奥行き２２０ｍｍ、高さ１２０ｍｍに夫々設定されている。
又、ケース本体２ａ内には、プリンタ５から排出された記録紙Ｐ（試験データ等が印字された記録紙Ｐ）が出て来るスリット状の窓穴９ａを形成したパネル９が配設されており、このパネル９とケース本体２ａとの間に後述する電源３やプリンタ５等を収納するための空間が形成されている。
【００１３】
前記電源３は、スイッチング電源３及び単二アルカリ電池（図示省略）から成り、ケース本体２ａとパネル９との間に形成した空間内に配設されている。
スイッチング電源３は、商用電源からの交流電圧（ＡＣ１００ＶやＡＣ２２０Ｖ）をＯＮ／ＯＦＦのスイッチング動作により、加圧型漏洩試験機１に用いている中央演算処理装置８等の電子機器に必要な一定の直流電圧（ＤＣ）に整流する装置であり、中央演算処理装置８に接続されている。又、このスイッチング電源３には、スイッチ１０及びプラグ１１が接続されている。
一方、単二アルカリ電池は、４本使用されており、中央演算処理装置８に内蔵されている時計等に使用されるものである。
【００１４】
前記圧力センサー４は、漏洩試験を行う配管（水が加圧状態で充満された配管）内の圧力を検出するものであり、耐圧ホース（図示省略）の端部に着脱自在且つ連通状に接続される接続口４ａを備えている。
又、圧力センサー４は、その大部分がケース本体２ａ内に配設され、且つその接続口４ａが収納ケース２の外方へ臨むようにケース本体２ａの一側壁に貫通状態で取り付けられており、ケーブル１２を介して中央演算処理装置８に接続されている。
従って、圧力センサー４は、収納ケース２の外方に位置する接続口４ａと漏洩試験を行う配管とを耐圧ホースにより接続することによって、配管内の圧力を検出することができる。この圧力センサー４には、測定範囲が０〜５ＭＰａの従来公知の圧力センサー４が使用されている。
【００１５】
前記プリンタ５は、圧力センサー４により測定した配管内の圧力値とそのときの日時（年月日及び時間）を記録紙Ｐに印字するものであり、プリンタケーブル１３を介して中央演算処理装置８に接続されていると共に、配管内の測定した圧力値とそのときの日時（年月日及び時間）を断続的に時間経過に伴って記録紙Ｐに印字するように中央演算処理装置８等により制御されている。
又、プリンタ５は、ケース本体２ａとパネル９との間に形成した空間内に配設されており、パネル９に形成したスリット状の窓穴９ａから圧力値及び日時等の試験データを印字した記録紙Ｐ（ロール紙）が順次送り出されるようになっている。
尚、プリンタ５には、例えばセイコーエプソン株式会社製のＤＰＵ−Ｈ２４５ＡＳ（ラインサーマルドット印字方式）が使用されている。
【００１６】
前記表示部６は、収納ケース２内のパネル９に設けられて中央演算処理装置８に接続されており、圧力センサー４により測定された圧力値の表示、印字設定を行う際の記録時間や記録間隔の表示、測定圧力を設定する際の測定圧力の表示等を行うものである。この表示部６は、ＬＥＤや液晶を使用したデジタル表示器により形成されており、３桁まで表示できるようになっている。
【００１７】
前記操作部７は、収納ケース２内のパネル９に設けられて中央演算処理装置８に接続されており、印字設定（印字時の年月日及び時間の設定、印字記録時間及び印字間隔の設定）や測定圧力の設定等を行うものである。この操作部７は、設定モードを切り換える設定スイッチ７ａ、各種設定値を変更するスイッチ７ｂ、スタートスイッチ７ｃ及びリセットスイッチ（図示省略）等を備えている。
【００１８】
前記中央演算処理装置８は、プログラムやデータを記憶する記憶装置、演算や比較判断を行う演算装置、演算装置やプリンタ５等の各装置に命令を与える制御装置等を備えており、操作部７からの設定や数値等の入力に応じてプリンタ５を制御したり、表示部６に演算結果や状態、圧力値等を表示させたりするものである。この中央演算処理装置８は、ケース本体２ａとパネル９との間に形成した空間内に収納されている。
【００１９】
尚、下記の表１は、上述した加圧型漏洩試験機１の仕様の一例を表わしたものである。
【００２０】
【表１】
2004184200.tif 000003
【００２１】
次に、上述した加圧型漏洩試験機１を用いて水道水等の配管の漏洩試験を行う場合について説明する。
先ず、加圧型漏洩試験機１のプラグ１１を商用電源３に接続すると共に、加圧型漏洩試験機１の圧力センサー４の接続口４ａと漏洩試験を行う配管（予め加圧ポンプ（図示省略）により水が加圧状態で充満された配管）とを耐圧ホース（図示省略）により連通状に接続する。このとき、加圧型漏洩試験機１は、全体をボックス状のコンパクトなものにしているため、現場での運搬や取扱性等に非常に便利である。
【００２２】
次に、加圧型漏洩試験機１の操作部７の設定スイッチ７ａ等を操作し、測定圧力の設定、印字時の年月日及び時間の設定、印字記録時間の設定、印字間隔の設定等を行った後、スタートスイッチ７ｃを押す。そうすると、設定された記録時間の間に配管内の圧力測定が一定時間毎に行われ、そのときの配管内の圧力値と日時（年月日及び時間）がプリンタ５により記録紙Ｐに順次印字される。
【００２３】
そして、作業者は、図３に示すように記録紙Ｐに印字された試験データを確認することにより配管の漏洩の有無を判別することができる。即ち、圧力の低下が生じていない場合には漏洩が無く、圧力の低下が発生している場合には漏洩が発生していることになる。
この加圧型漏洩試験機１は、圧力センサー４により配管内の圧力の時系列的変化を計測してプリンタ５により自動記録する構成としているため、無人による計測が可能になるうえ、測定の精度が高くなると共に、信頼性の高いものとなる。
【００２４】
尚、上記実施の形態に於いては、加圧型漏洩試験機１を用いて給排水や消火用等の配管の漏洩試験を行うようにしたが、他の実施の形態に於いては、加圧型漏洩試験機１を用いてその他の被測定物、例えばガス用の配管や圧力容器等の圧力変化を測定するようにしても良い。
又、上記実施の形態に於いては、プリンタ５等の駆動源に商用電源を使用するようにしたが、他の実施の形態に於いては、収納ケース２内にバッテリ（図示省略）を内蔵し、当該バッテリでプリンタ５等を駆動させるようにしても良い。
【００２５】
【発明の効果】
上述の通り、本発明の加圧型漏洩試験機は、配管等の被測定物内の圧力変化を圧力センサーにより測定し、その測定データ等をプリンタにより自動的に記録できるように構成されているため、作業者が被測定物の漏洩試験の期間中、漏洩試験に立ち会うような必要がなくなり、漏洩試験にかかる作業労働負担の軽減、人件費の削減等により作業コストを大幅に低減させることができる。
又、本発明の加圧型漏洩試験機は、プリンタにより配管内の圧力変化等の記録をプリントアウトしているため、測定記録作業を圧力計を目視して行っていた手段に比較して、その試験データは非常に正確で且つ信頼性、信憑性の高いものとなり、被測定物の漏洩の有無を正確に判断することができる。
更に、本発明の加圧型漏洩試験機は、可搬式の収納ケース内に圧力センサーやプリンタ等の各種機器を収納する構成としているため、現場での運搬や取扱性等に非常に便利である。
そのうえ、本発明の加圧型漏洩試験機は、圧力センサーに耐圧ホースに連通状に接続される接続口を設け、当該圧力センサーをその接続口が収納ケースの外方へ臨むように収納ケース内に配設しているため、被測定物と圧力センサーの接続口とを耐圧ホースで接続する際に接続を簡単且つ容易に行うことができる。
【図面の簡単な説明】
【図１】本発明の実施の形態に係る加圧型漏洩試験機の概略斜視図である。
【図２】同じく加圧型漏洩試験機の構成を示すブロック図である。
【図３】プリンタにより試験データ等が印字された記録紙の印字サンプルの一例を示す正面図である。
【図４】従来の漏洩試験機である水圧テスト用ポンプの一部縦断側面図である。
【符号の説明】
１は加圧型漏洩試験機、２は収納ケース、３は電源、４は圧力センサー、４ａは圧力センサーの接続口、５はプリンタ、６は表示部、７は操作部、８は中央演算処理装置、Ｐは記録紙。
【図１】
2004184200.tif 000004
【図２】
2004184200.tif 000005
【図３】
2004184200.tif 000006
【図４】
2004184200.tif 000007